(57)【要約】【課題】  画像データのバックアップを行いやすくする。【解決手段】  ＨＤＤレコーダ１に画像データを保存する。また、同一の画像データを外部のファイルサーバ５，７および／または他のＨＤＤレコーダ９に送信することによりバックアップする。ＨＤＤレコーダ１においてテレビ３に画像データのサムネイル画像一覧を表示する際に、画像データのバックアップ場所の信頼度およびバックアップ場所の数から画像データの安全度を算出する。安全度が低い場合には、その画像データのサムネイル画像の周囲に安全度の値に応じて赤または黄色の枠を付与して一覧に表示する。【選択図】          図１
2005339361.tif 000002
【特許請求の範囲】
【請求項１】
画像を保存する画像保存手段と、
前記画像のバックアップ処理を行うバックアップ処理手段と、
前記保存されている画像についてのバックアップの程度に基づく安全度を求め、該安全度を視認可能に前記画像または前記画像のファイル名を表示手段に表示する表示制御手段とを備えたことを特徴とする画像表示装置。
【請求項２】
前記画像保存装置が複数の記録媒体からなり、
前記バックアップ処理手段が、前記複数の記録媒体のそれぞれに前記画像を保存することにより前記バックアップ処理を行う手段であることを特徴とする請求項１記載の画像表示装置。
【請求項３】
前記バックアップ処理手段が、前記保存された画像を少なくとも１つの外部装置に送信することにより前記バックアップ処理を行う手段であることを特徴とする請求項１または２記載の画像表示装置。
【請求項４】
前記表示制御手段が、前記画像のバックアップ場所の信頼度およびバックアップ場所の数に応じて前記安全度を求める手段であることを特徴とする請求項１から３のいずれか１項記載の画像表示装置。
【請求項５】
画像を保存する画像保存手段と、
前記画像のバックアップ処理を行うバックアップ処理手段とを備えた画像表示装置における画像表示方法において、
前記保存されている画像についてのバックアップの程度に基づく安全度を求め、
該安全度を視認可能に前記画像または前記画像のファイル名を表示することを特徴とする画像表示方法。
【請求項６】
画像を保存する画像保存手段と、
前記画像のバックアップ処理を行うバックアップ処理手段とを備えた画像表示装置における画像表示方法をコンピュータに実行させるためのプログラムにおいて、
前記保存されている画像についてのバックアップの程度に基づく安全度を求める手順と、
該安全度を視認可能に前記画像または前記画像のファイル名を表示する手順とを有することを特徴とするプログラム。
【発明の詳細な説明】
【技術分野】
【０００１】
本発明は、保存された画像または画像のファイル名を表示する画像表示装置および方法並びに画像表示方法をコンピュータに実行させるためのプログラムに関するものである。
【背景技術】
【０００２】
従来、ネガフィルムやプリントに記録された画像をスキャナ等により読み取って得た画像データやデジタルカメラ等により取得した画像データを、パソコン等の画像再生装置に保存して、スライドショー形式で再生させる方法が提案されている。また、画像データをＨＤＤレコーダ等に保存することにより、ＨＤＤレコーダに接続されたテレビにおいてスライドショーを再生することも可能である。
【０００３】
このように画像データを保存する際には、ハードディスクの故障等によるデータ破壊、喪失を防ぐため、画像データのバックアップが必要となる。さらに、地震その他の災害に備え、画像データの分散管理も要望される。
【０００４】
このため、パソコンにおいては、ＤＶＤやＭＯ等の記録媒体に、ハードディスクに保存された画像データのバックアップを行ったり、ネットワーク接続された外部のファイルサーバに画像データを送信することにより、バックアップを行っている。さらにハードディスクを複数設けてＲＡＩＤを構成して、画像データの複製を複数のＨＤＤのそれぞれに作成することによるバックアップも行われている。
【０００５】
ところで、画像データのバックアップには手間がかかるため、バックアップを行わないユーザが多く、バックアップを行うユーザであっても定期的にスケジュールを決めてバックアップを行うのは煩わしい作業となる。
【０００６】
このため、ユーザのパソコンとネットワークを介して接続された電子倉庫および電子図書館を設け、電子倉庫にデータを保存し、電子倉庫に保存するデータのうちアクセス頻度の低いデータを電子倉庫から電子図書館へ移動してバージョン管理した保存を行い、電子倉庫または電子図書館からはデータパケット構成のファイル回収車をユーザのパソコンに巡回させ、ファイル回収車により電子倉庫等に保存するファイルリストをパソコンに表示し、この表示に対する電子倉庫に送るデータ、電子倉庫から削除するデータおよび電子図書館へ移すデータの指定により、データの移動・保存・削除および借出しを行って、バックアップ等のデータの管理を容易に行うようにしたシステムが提案されている（特許文献１参照）。
【特許文献１】特開平１１−１１３３６２号公報
【発明の開示】
【発明が解決しようとする課題】
【０００７】
上述したような画像データのバックアップは、同一の画像データを保存する場所が多いほど、画像データの破壊や喪失に対して安全性が高いものとなる。また、画像データを保存する場所についても信頼性の高いサーバに保存した方が画像データの破壊や喪失に対して安全性が高いものとなる。このため、パソコン等に保存された画像データを表示した際にその画像データの安全性が分かれば、画像データのバックアップを行いやすくなる。
【０００８】
本発明は上記事情に鑑みなされたものであり、画像データのバックアップを行いやすくすることを目的とする。
【課題を解決するための手段】
【０００９】
本発明による画像表示装置は、画像を保存する画像保存手段と、
前記画像のバックアップ処理を行うバックアップ処理手段と、
前記保存されている画像についてのバックアップの程度に基づく安全度を求め、該安全度を視認可能に前記画像または前記画像のファイル名を表示手段に表示する表示制御手段とを備えたことを特徴とするものである。
【００１０】
画像を表示手段に表示する形態は、画像から作成したサムネイル画像を一覧表示する形態および、画像を一枚ずつ表示する形態のいずれでもよい。
【００１１】
「安全度を視認可能に表示する」とは、表示される画像を見ることによりその画像の安全度を認識することができるように表示することを意味し、具体的には画像に安全度に応じた色を有する枠を付与する、安全度を数値で表示する等により安全度を視認可能に表示することができる。
【００１２】
なお、本発明による画像表示装置においては、前記画像保存装置を複数の記録媒体からなるものとし、
前記バックアップ処理手段を、前記複数の記録媒体のそれぞれに前記画像を保存することにより前記バックアップ処理を行う手段としてもよい。
【００１３】
「複数の記録媒体」は、同一種類の記録媒体であっても異なる種類の記録媒体であってもよい。例えば、記録媒体がハードディスクである場合に、同一種類の複数のハードディスクから画像保存装置が構成される場合、画像保存装置はＲＡＩＤとなる。また、画像保存装置を異なる２つの記録媒体からなるものとした場合に、一方の記録媒体をハードディスク、他方の記録媒体を記録可能なＤＶＤとしてもよい。
【００１４】
また、本発明による画像表示装置においては、前記バックアップ処理手段を、前記保存された画像を少なくとも１つの外部装置に送信することにより前記バックアップ処理を行う手段としてもよい。
【００１５】
また、本発明による画像表示装置においては、前記表示制御手段を、前記画像のバックアップ場所の信頼度およびバックアップ場所の数に応じて前記安全度を求める手段としてもよい。
【００１６】
本発明による画像表示方法は、画像を保存する画像保存手段と、
前記画像のバックアップ処理を行うバックアップ処理手段とを備えた画像表示装置における画像表示方法において、
前記保存されている画像についてのバックアップの程度に基づく安全度を求め、
該安全度を視認可能に前記画像または前記画像のファイル名を表示することを特徴とするものである。
【００１７】
なお、本発明による画像表示方法をコンピュータに実行させるためのプログラムとして提供してもよい。
【発明の効果】
【００１８】
本発明によれば、保存されている画像についてのバックアップの程度に基づく安全度が求められ、安全度を視認可能に画像または画像のファイル名が表示される。このため、画像または画像のファイル名を見たユーザはその画像の安全度を容易に認識することができる。これにより、いずれの画像を優先的にバックアップすればよいかが容易に分かることとなり、その結果、バックアップを行いやすくすることができる。
【００１９】
また、画像保存装置を複数の記録媒体からなるものとし、複数の記録媒体のそれぞれに画像を保存してバックアップ処理を行うことにより、画像表示装置単独で画像のバックアップを行うことができる。
【００２０】
また、保存された画像を少なくとも１つの外部装置に送信してバックアップすることにより、破壊および喪失に対する画像の安全性を高めることができる。
【００２１】
また、画像のバックアップ先の信頼度およびバックアップ先の数に応じて安全度を求めることにより、安全度を容易に求めることができる。
【発明を実施するための最良の形態】
【００２２】
以下、図面を参照して本発明の実施形態について説明する。図１は本発明による画像表示装置を適用したＨＤＤレコーダを用いた画像バックアップシステムの構成を示す概略ブロック図である。図１に示すように、本実施形態によるバックアップシステムは、ＨＤＤレコーダ１と、ＨＤＤレコーダ１に接続されたテレビ３と、ＨＤＤレコーダ１とインターネットを介して接続されたファイルサーバ５，７および他のＨＤＤレコーダ９とを備える。
【００２３】
図２はＨＤＤレコーダ１の構成を示す概略ブロック図である。図２に示すようにＨＤＤレコーダ１は、画像データおよび録画した動画像データを保存するための複数（本実施形態においては２つ）のＨＤＤからなるＲＡＩＤ１１と、ＤＶＤ−Ｒ等の記録可能なメディアに画像データや動画像データを記録したり、メディアに記録された画像データや動画像データを読み出すメディアドライブ１３と、ＨＤＤレコーダ１全体の制御を行うとともに、画像データおよび動画像データの記録制御、通信制御および表示制御等の各種制御を行うＣＰＵ１５と、ＣＰＵ１５の動作プログラム等のソフトウェア、各種定数が記録されている領域およびＣＰＵ１５が処理を実行する際の作業領域からなるメモリ１７と、ユーザが種々の指示をＨＤＤレコーダ１に対して行うための入力部１９とを備える。
【００２４】
また、ＨＤＤレコーダ１は、テレビ３に音声信号およびビデオ信号を出力するための信号出力端子２１と、インターネットと接続されたネットワーク通信インターフェース２３と、画像データが記録されたメモリカードから画像データを読み出すためのカードインターフェース２５とを備える。
【００２５】
ＨＤＤレコーダ１はこのような構成を有することにより、カードインターフェース２５からメモリカード（不図示）に記録された画像データを読み出してＲＡＩＤ１１に保存することが可能である。ここで、本実施形態においては、ＲＡＩＤ１１は２つのＨＤＤからなり、双方のＨＤＤの同期が取られることにより、双方のＨＤＤに同一の画像データがそれぞれ保存されることとなる。
【００２６】
また、ＨＤＤレコーダ１は、ネットワーク通信インターフェース２３を介してインターネットに接続して、画像データをファイルサーバ５，７へ送信して、ファイルサーバ５，７に画像データを保存することが可能である。また、他のＨＤＤレコーダ９へ画像データを送信してＨＤＤレコーダ９に画像データを保存することが可能である。
【００２７】
具体的には、ＲＡＩＤ１１に保存された画像データの一覧をテレビ３に表示し、表示された画像の一覧から入力部１９を用いてユーザが選択した画像データを、ファイルサーバ５，７および／またはＨＤＤレコーダ９へ送信する。これにより、ＲＡＩＤ１１に保存された画像データのうち、ユーザが選択した画像データのバックアップを行うことができる。また、ファイルサーバ５，７および／またはＨＤＤレコーダ９に保存されている画像データとＲＡＩＤ１１に保存されている画像データとの同期を取って、ＲＡＩＤ１１に保存されている画像データとファイルサーバ５，７および／またはＨＤＤレコーダ９に保存されている画像データとを同一のものとすることによりバックアップを行うことも可能である。
【００２８】
ここで、ＨＤＤレコーダ９を、ユーザの家族や友人が有するものとすることにより、画像データをユーザの家族や友人に渡しつつも、画像データのバックアップを行うことが可能である。
【００２９】
なお、バックアップ場所をあらかじめ登録しておき、バックアップ場所のリストをテレビ３に表示するようにして、ユーザにバックアップ場所を選択させるようにしてもよい。
【００３０】
本実施形態においては、ファイルサーバ５は信頼のおけるメーカーが設置してなるものであり、ユーザが利用料金を支払うことにより利用可能なものとする。また、ファイルサーバ７は無料で利用できるものとする。
【００３１】
なお、ＲＡＩＤ１１に保存されている画像データについてのバックアップの状況は、バックアップリストとしてＲＡＩＤ１１に保存される。図３はバックアップリストの例を示す図である。図３に示すように、バックアップリストには、画像データのファイル名、バックアップ場所、バックアップ日が記述されている。図３に示すように、すべての画像データはＲＡＩＤ１１にバックアップがなされるため、バックアップ場所には「ＲＡＩＤ」が記述される。また、ユーザがファイルサーバ５，７にバックアップした画像データについては、バックアップ場所には「ファイルサーバ５」または「ファイルサーバ７」が記述される。また、ユーザがＨＤＤレコーダ９にバックアップした画像データについては、バックアップ場所には「ＨＤＤレコーダ９」が記述される。
【００３２】
次いで、本実施形態においてＲＡＩＤ１１に保存された画像データについてのサムネイル画像の一覧の表示時に行われる処理について説明する。図４はサムネイル画像の一覧の表示時に行われる処理を示すフローチャートである。ユーザがサムネイル画像の一覧の表示指示を入力部１９を用いてＨＤＤレコーダ１に行うことにより処理が開始され、ＣＰＵ１５は処理対象をファイル名が最初の画像データに設定する（ステップＳＴ１）。次いで、処理対象の画像データにより表される画像のサイズを縮小することにより、サムネイル画像を表すサムネイル画像データを作成し（ステップＳＴ２）、さらにバックアップリストを参照して、処理対象画像データの安全度を算出する（ステップＳＴ３）。
【００３３】
ここで、本実施形態においては、ＲＡＩＤ１１、ファイルサーバ５，７および他のＨＤＤレコーダ９がバックアップ場所として用意されており、そのそれぞれに信頼度が設定されている。具体的には、ＲＡＩＤ１１が１、ファイルサーバ５が３，ファイルサーバ７が１、他のＨＤＤレコーダ９が１という信頼度が設定されている。そして、ＣＰＵ１５が処理対象画像データについてバックアップリストを参照して、その処理対象画像データのバックアップ場所を検索する。そして、下記の式（１）により処理対象画像データの安全度を算出する。
【００３４】
安全度＝（すべてのバックアップ場所の信頼度の加算値）×バックアップ先の数                                                                            （１）
例えば、ファイル名がＤＳＣＦ００１．ＪＰＧの画像データについては、バックアップ場所がＲＡＩＤ１１およびファイルサーバ５，７であるため、（１＋３＋１）×３＝１５を安全度として算出する。以下、ＤＳＣＦ００２．ＪＰＧ〜ＤＳＣＦ００９．ＪＰＧまでの画像データの安全度は、１，４、１，１，４，１５，１５，４と算出される。
【００３５】
そして、算出した安全度が所定のしきい値Ｔｈ１以上であるか否かを判定し（ステップＳＴ４）、ステップＳＴ４が否定されると、処理対象の画像のサムネイル画像の周囲に赤色の枠を付与してテレビ３に表示する（ステップＳＴ５）。なお、しきい値Ｔｈ１としては例えば２を用いることができる。
【００３６】
ステップＳＴ４が肯定されると、さらに安全度がしきい値Ｔｈ１よりも大きいしきい値Ｔｈ２以上であるか否かを判定する（ステップＳＴ６）。なお、しきい値Ｔｈ２としては例えば５を用いることができる。そして、ステップＳＴ６が否定されると、処理対象の画像のサムネイル画像の周囲に黄色の枠を付与してテレビ３に表示する（ステップＳＴ７）。
【００３７】
ステップＳＴ６が肯定されると、何ら枠を付与することなく処理対象の画像のサムネイル画像をテレビ３に表示する（ステップＳＴ８）。
【００３８】
そして、すべての画像データの処理を終了したか否かを判定し（ステップＳＴ９）、ステップＳＴ９が否定されると処理対象の画像を次の画像データに設定し（ステップＳＴ１０）、ステップＳＴ２に戻る。ステップＳＴ９が肯定されると処理を終了する。これにより、テレビ３にはＲＡＩＤ１１に保存されている画像についてのサムネイル画像の一覧が表示される。
【００３９】
図５はサムネイル画像の一覧の表示画面を示す図である。図５に示すように、安全度がしきい値Ｔｈ２以上のＤＳＣＦ００１．ＪＰＧ、ＤＳＣＦ００７．ＪＰＧ、ＤＳＣＦ００８．ＪＰＧ、ＤＳＣＦ０１０．ＪＰＧ等の画像データは何ら枠が付与されず、安全度がＴｈ１以上Ｔｈ２未満のＤＳＣＦ００３．ＪＰＧ、ＤＳＣＦ００６．ＪＰＧ、ＤＳＣＦ００９．ＪＰＧは黄色の枠（図５においては斜線で示す）が付与され、安全度がＴｈ１未満のＤＳＣＦ００２．ＪＰＧ、ＤＳＣＦ００４．ｊｐｇＤＳＣＦ００５．ＪＰＧは赤色の枠（図５においては黒枠で示す）が付与される。
【００４０】
ユーザは、サムネイル画像の一覧を見て、画像データの安全度を知ることができる。したがって、赤色の枠が付与された画像データについてはファイルサーバ５、７および／またはＨＤＤレコーダ９へ送信して保存することによるバックアップを早急に行う必要があることを知ることができる。また、黄色の枠が付与された画像データについては、緊急ではないもののファイルサーバ５、７および／またはＨＤＤレコーダ９へ送信して保存することによるバックアップを行う必要があることを知ることができる。したがって、ユーザはバックアップを容易に行うことができる。
【００４１】
なお、上記実施形態においては、サムネイル画像の一覧を表示した際に、安全度に応じた色の枠を表示しているが、安全度を数値として表示してもよい。また、サムネイル画像の一覧のみならず、画像データのファイル名を一覧として表示した際に、各画像データの安全度を視認可能なように表示してもよい。例えば、ファイル名の色を安全度に応じて異なるもの（例えば安全度がＴｈ１未満の場合は赤、Ｔｈ１以上Ｔｈ２未満の場合は黄色）としたり、安全度の数値をファイル名とともに表示すればよい。
【００４２】
また、上記実施形態においては、安全度がしきい値Ｔｈ２以上の画像データについては何ら枠を付与することなくサムネイル画像の一覧に表示しているが、例えば安全であることを示す緑色の枠を付与してサムネイル画像の一覧に表示してもよい。
【００４３】
また、上記実施形態において、ＲＡＩＤ１１を構成する２つのＨＤＤのうち、いずれか一方に障害が発生するような場合がある。このような場合には、ＲＡＩＤ１１の信頼度を０とする等して安全度を算出すればよい。これにより、算出される安全度が低くなるため、ユーザは直ちにバックアップを行うことが可能となる。
【００４４】
また、上記実施形態においては、バックアップリストに代えて、画像データに付与されるメタデータにバックアップ場所およびバックアップ日を記述してもよい。
【００４５】
このように、画像データのメタデータにバックアップ先の情報を記述した場合において、ファイルサーバ５，７および／またはＨＤＤレコーダ９（以下サーバ等とする）にて、画像データが削除されるような場合、サーバ等は、削除される画像データのメタデータを参照して、すべてのバックアップ先に対して、削除される旨の情報を送信することが好ましい。これにより、すべてのバックアップ先においては、画像データが削除されたバックアップ場所をメタデータから削除することが可能となる。さらに必要な場合には、他のバックアップ場所に画像データをバックアップすることも可能となる。
【００４６】
また、上記実施形態においては、ユーザの意志によりファイルサーバ５，７および／またはＨＤＤレコーダ９に画像データをバックアップしているが、ＲＡＩＤ１１に画像データを保存すると同時に自動でファイルサーバ５，７および／またはＨＤＤレコーダ９に画像データを送信して保存することによりバックアップを行うようにしてもよい。
【００４７】
また、上記実施形態においては、ＲＡＩＤ１１に画像データを保存しているが、ＲＡＩＤ１１に代えて単体のＨＤＤを設け、これに画像データを保存するようにしてもよい。また、メディアドライブ１３に記録可能なＤＶＤを常時挿入しておき、ＲＡＩＤ１１またはＨＤＤに画像データが保存されるのと同時に、ＤＶＤに画像データを保存することによりバックアップを行うようにしてもよい。
【００４８】
また、上記実施形態においては、ＨＤＤレコーダ１が直接ファイルサーバ５，７へ画像データを送信して保存することによりバックアップを行っているが、図６に示すように、ＨＤＤレコーダ１に保存された画像データをファイルサーバ３１に保存した後、ファイルサーバ３１が他のファイルサーバ３３，３５，３７に画像データを送信して保存することによりバックアップを行うようにしてもよい。
【００４９】
この場合、ファイルサーバ３１がバックアップリストを管理することとなる。そして、ＨＤＤレコーダ１において画像の一覧を表示する際には、ファイルサーバ３１に保存されたバックアップリストを参照して安全度を算出すればよい。
【図面の簡単な説明】
【００５０】
【図１】本発明による画像表示装置を適用したＨＤＤレコーダを用いた画像バックアップシステムの構成を示す概略ブロック図
【図２】ＨＤＤレコーダの構成を示す概略ブロック図
【図３】バックアップリストの例を示す図
【図４】サムネイル画像の一覧の表示時に行われる処理を示すフローチャート
【図５】サムネイル画像の一覧の表示画面を示す図
【図６】本発明による画像表示装置を適用したＨＤＤレコーダを用いた画像バックアップシステムの他の構成を示す概略ブロック図
【符号の説明】
【００５１】
１，９    ＨＤＤレコーダ
３    テレビ
５，７，３１，３３，３５，３７    ファイルサーバ
【図１】
2005339361.tif 000003
【図２】
2005339361.tif 000004
【図３】
2005339361.tif 000005
【図４】
2005339361.tif 000006
【図５】
2005339361.tif 000007
【図６】
2005339361.tif 000008